(57)【要約】【課題】操作者に対する操作性や視認性を良好にし、かつ顧客に対してインタフェース部を見せることがなく、しかもインタフェース部のメンテナンスを良好に行うことができる決済端末装置。【解決手段】キーシートと基板と液晶表示パネルを、メイン基盤に対して傾斜して配置し、プリンターユニットを基板の延長線上に対して平行に配置し、ロール紙収納部が基板の延長線上に位置し、かつ前記本体の後方に張り出すように配置する。【選択図】　図１
2004094841.tif 000002
【特許請求の範囲】
【請求項１】
本体の内部に少なくともＩＣカードリーダと、メイン基板と、各種の操作ボタンを構成するキーシートと、該キーシートが取り付けられる基板と、液晶表示パネルと、プリンターユニットと、ロール紙収納部とを備え、
前記キーシートと前記基板と前記液晶表示パネルは、前記メイン基盤に対して傾斜して配置され、
前記プリンターユニットは、前記基板の延長線上に対して平行に配置され、
前記ロール紙収納部は、前記基板の延長線上に位置し、かつ前記本体の後方に張り出すように配置されたことを特徴とするクレジット決済端末装置。
【請求項２】
略三角形状の台部を有する本体の内部に、少なくともＩＣカードリーダと、メイン基板と、各種の操作ボタンを構成するキーシートと、該キーシートが取り付けられる基板と、液晶表示パネルと、プリンターユニットと、ロール紙収納部とを備え、
前記キーシートと前記基板と前記液晶表示パネルは、前記台部の傾斜に対して平行となるように配置され、
前記プリンターユニットは、前記台部の延長線上に対して平行に配置され、
前記ロール紙収納部は、前記台部の延長線上に対して平行となるように配置され、かつ前記本体の後方に張り出すように配置されたことを特徴とするクレジット決済端末装置。
【請求項３】
請求項１または請求項２において、前記プリンターユニットは、前記基板の後方に配置されたことを特徴とするクレジット決済端末装置。
【請求項４】
縦長の本体とカードリーダ部とプリンター部とを備え、
前記本体は、操作部と表示部とを有する上ケースと、略三角形状に形成された台部を有する下ケースとを備え、
前記台部は、その長さが前記カードリーダ部の長さよりも短く形成されるとともに、その背面に周辺機器と接続可能な接続部を備え、
前記カードリーダ部は、前記本体よりも縦長に形成され、その長手方向に沿って形成された磁気カードスロットと、長手方向の一端に形成されたＩＣカードスロットとを備え、
前記プリンター部は、ロール紙を収納するロール紙収納部と、該ロール紙への印字を行うプリンターユニットとを内部に備えると共に、前記本体の後方から張り出すように配置されることを特徴とするクレジット決済端末装置。
【請求項５】
請求項４において、
前記本体と前記カードリーダ部は、段差を持つように組み合わせられることを特徴とするクレジット決済端末装置。
【発明の詳細な説明】
【０００１】
【発明の属する技術分野】
本発明は、クレジットカードによる決済、特に、磁気カードやＩＣカード等によりクレジット決済を行う決済端末装置に関する。
【０００２】
【従来の技術】
従来、磁気カードやＩＣカード等のクレジットカードによる決済は、決済端末装置により行われることが一般的である。従来の一般的な決済端末装置は、店舗等に設置されたＰＯＳ端末や暗証番号の入力等を行う入力機（ピンパッド）等の周辺機器とケーブルを介して接続し、各機器を操作することにより、クレジット決済を行うようになっている。このような決済端末は、例えば、特開２００１−３０６２２７号公報（従来例１）や、特開２００２−８３３７０号公報（従来例２）等に記載されている。
【０００３】
上記従来例１では、商取引情報を入力するキーボードと、情報を表示する表示器と、決済伝票を印字発行するプリンタと、磁気カードを読み取るカードリーダを備えた決済端末機と、ＩＣカードを読み取りと暗証番号の入力が可能な入力機（ピンパッド）とで構成された決済端末装置が記載されている。特に、上記従来例１では、入力機にＩＣカードを挿入した状態、即ち、ＩＣカードによる決済を行うことについて開示されている。
また、上記従来例２では、クレジットカードを読み取るカードリーダ部と、数字を入力するテンキーと、情報を表示する表示部と、機能を選択するファンクションキーと、画面をスクロールさせるカーソルキーとを備えた外観の決済端末装置が記載されている。特に、上記従来例２では、決済端末装置の内部に配置されたプリンタ部に設けられたロール紙巻き込み防止板について記載されている。
上記従来例に記載されている決済端末装置は、例えば、図１４および図１５で示すように、本体前方に液晶表示パネル１３６０と、キーシート１３６１と、キーシート１３６１が取り付けられる基板１３６２と、メイン基板１３６３を設け、本体後方にプリンター１３００とロール紙を収納するロール紙収納部１３１０が内蔵されたプリンター部１３２０と、背面部分に周辺機器との接続部分（インタフェース部）１３３０を設けることが一般的である。このインタフェース部は一般的に、接続端子１３３１と１３３２、ＵＳＢ端子１３３３、ボリューム調節ダイヤル１３３４、カードスロット１３３５、電源１３３６を備えている。このインタフェース部１３３０の配置は、例えば、図１４で示すように、背面部分から露出するようにインタフェース部１３３０を設けたものや、図１５で示すように、背面部分よりも奥まった部分にインタフェース部１３３０を設けると共に、このインタフェース部１３３０を覆うカバー１３４０を設けたものが見受けられる。
また、近年では、ＩＣカードリーダと磁気カードリーダを備えた決済端末装置が見受けられるようになってきている。このような決済端末装置は、例えば、特開２００２−２３０６４４号公報（従来例３）に記載されている。特に、上記従来例３では、決済端末装置をステーションにセットした場合のみ決済伝票を印字することが記載されている。
【０００４】
【発明が解決しようとする課題】
しかしながら、上記従来例１および従来例２に開示された決済端末装置においては、横幅が広く、縦の長さが短い外観形状を備えているため、表示部が小さくなってしまい、表示部に表示された情報の見やすさについての配慮が成されていなかった。また、上記従来例に開示された決済端末装置においては、内部に配置されるロール紙が、店員側から見て最も奥まった位置に配置されており、ロール紙の交換性についての配慮が成されていなかった。
また、上記の課題に加え、上記従来例１の決済端末装置においては、図１３で示すように、ケーブル等が接続されるインタフェース部がむき出しとなるため、顧客側から見た際の美感に対する配慮が成されていなかった。
【０００５】
また、上記の課題に加え、上記従来例２の決済端末装置においては、図１４で示すように、ケーブル等を接続したインタフェース部をカバーで隠すため、インタフェース部のメンテナンスに関する配慮が成されていなかった。
さらに、上記従来例３においては、決済端末装置単体で決済伝票を印字することができないため、決済伝票の印字操作に対する配慮が成されていなかった。
【０００６】
本発明の目的は、操作者に対する操作性や視認性を良好にし、かつ顧客に対してインタフェース部を見せることがなく、しかもインタフェース部のメンテナンスを良好に行うことができる決済端末装置を提供することにある。
【０００７】
【課題を解決するための手段】
上記課題を解決するために、本発明にかかるクレジット決済端末装置は、本体の内部に少なくともＩＣカードリーダと、メイン基板と、各種の操作ボタンを構成するキーシートと、該キーシートが取り付けられる基板と、液晶表示パネルと、プリンターユニットと、ロール紙収納部とを備え、前記キーシートと前記基板と前記液晶表示パネルは、前記メイン基盤に対して傾斜して配置され、前記プリンターユニットは、前記基板の延長線上に対して平行に配置され、前記ロール紙収納部は、前記基板の延長線上に位置し、かつ前記本体の後方に張り出すように配置される。
【０００８】
【発明の実施の形態】
以下、本発明によるクレジット決済端末装置の実施形態を、図面により詳細に説明する。なお、実施形態の図における同一符号は、同一物または相当物を示す。最初に、図１から図４を参照して、本発明の実施形態によるクレジット決済端末装置の外観構成を説明する。
図１は本発明の実施形態によるクレジット決済端末装置の外観を示す斜視図、図２は本発明の実施形態によるクレジット決済端末装置の外観を示す後方斜視図、図３は本発明の実施形態によるクレジット決済端末装置の内部機構を一部省略した断面図、図４は本発明の実施形態によるクレジット決済端末装置の外観を示す５面図である。
まず、図１および図２において、符号２００で総括的に示すのはクレジット決済端末装置であり、各種機能を有する円形を基調とした複数の操作ボタンや液晶表示部２０１が配置されるとともに、縦長に形成された本体２１０と、磁気カードスロット２２０とＩＣカードスロット２３０とが設けられ、縦長に形成されたカードリーダ部２４０と、本体２１０の液晶表示部２０１側の端部に配置されるとともに、本体２１０よりも後方に突出して形成され、排紙口２５１とプリンターカバー２５３とを有するプリンター部２５０と、本体２１０とプリンターカバー２５３のロック機構を解除するロック解除ボタン２５２と、本体２１０の裏面に設けられ、かつカードリーダ部２４０よりも短い長さで形成された略三角形状の台部２６０と、台部２６０の背面に配置されたインタフェース部２７０とから構成され、本体２１０とカードリーダ部２４０が段差を持つように組み合わされた外観形状を備えている。
図２で示すように、インタフェース部２７０は、接続端子２７１と２７２、ＵＳＢ端子２７３、ボリューム調節ダイヤル２７４、カードスロット２７５、電源２７６を備えており、この接続端子２７１、２７２、ＵＳＢ端子２７３と図示しない各種の接続ケーブルを介して、図示しない周辺機器等とクレジット決済端末装置２００とを接続するようになっている。なお、図２においては、周辺機器の一例として、ケーブル２８０を介してクレジット決済端末装置２００にピンパッド３００を接続した状態を示している。
図３で示すように、クレジット決済端末装置２００は、その内部空間に、少なくともＩＣカードリーダ５１０や図示しないメモリ等が取り付けられるメイン基板５１２と、各種機能を有する円形を基調とした複数の操作ボタンを構成するキーシート５０６と、キーシート５０６が取り付けられる基板５３０と、液晶表示パネル５０７と、プリンターユニット５４０と、ロール紙収納部５５０とを有している。そして、内部レイアウトは、ＩＣカードリーダ５１０と平行に配置されたメイン基板５１２と、このメイン基板５１２に対して傾斜して配置されたキーシート５０６と、基板５３０と、液晶表示パネル５０７と、メイン基板５１２の上部後方に配置されたプリンターユニット５４０と、プリンターユニット５４０の後方に位置し、かつ本体２１０の後方から張り出すように配置されたロール紙収納部５５０とを有し、基板５３０の延長線上にキーシート５０６と、液晶表示パネル５０７と、ロール紙収納部５５０とが配置されるようになっている。また、プリンターユニット５４０は、基板５３０の延長線に対して平行となるように配置され、その上方に液晶表示パネル５０７が配置されるようになっている。
本実施の形態によるクレジット決済端末装置２００は、基板５４０の延長線上にキーシート５０６と、液晶表示パネル５０７と、ロール紙収納部５５０とを配置し、さらにプリンターユニット５４０を、基板５３０の延長線に対して平行となるように配置し、その上方に液晶表示パネル５０７を配置した内部レイアウトに特徴を有している。そして、この内部レイアウトにより、クレジット決済端末装置２００の外観形状が、各種機能を有する円形を基調とした複数の操作ボタンと液晶表示部２０１とを、クレジット決済端末装置２００の設置面に対して傾斜させ、かつ同一平面状に配置されるとともに、内部にプリンターユニット５４０（図３参照）とロール紙収納部５５０（図３参照）を有するプリンター部２５０が、本体２１０の形状と連続するように、本体２１０から後方へ張り出した外観形状となっている。これにより、各種機能を有する円形を基調とした複数の操作ボタンの取扱性や液晶表示部２０１の視認性、プリンター部２５０の取扱性を良好にすることができる。しかも、クレジット決済端末装置２００を設置面に対して傾斜させることで、本体２１０から張り出したプリンター部２５０の下方にケーブル等の配線スペースを形成し、プリンター部２５０より奥まった位置にインタフェース部２７０が設けられることで、ケーブル配線等の美感を損なう要素を顧客から見えにくくすることができる。
これに加え、本実施の形態によるクレジット決済端末装置２００は、本体２１０とカードリーダ部２４０が段差を持つように組み合わせることで、操作表示部とカード読取部との機能を明確に分離することができる。
また、カードリーダ部２４０を設置面に対して傾けるとともに、長手方向に沿って形成された磁気カードスロット２２０を液晶表示部２０１と隣接するように配置することで、カードリーダ部２４０の液晶表示部２０１と隣り合う辺にカードガイドが形成され、カードの取扱性を良好にすることができる。
さらに、カードリーダ部２４０に彩色を施し、本体２１０との色を変更することで、操作表示部とカード読取部との機能をより明確に分離することが可能となる。
また、図３で示すように、クレジット決済端末装置２００の内部空間内には、ＩＣカードリーダ５１０や図示しないメモリ等が取り付けられるメイン基板５１２等の主要な部品を覆うタンパーケース６１０が設けられている。このタンパーケース６１０は、プリンターユニット５４０やロール紙収納部５５０を有するプリンター部２５０を避けるようにしてＩＣカードリーダ５１０やメイン基板５１２、図示しないメモリ等の主要な部品を覆うことができるように山切りの断面形状を有している。これにより、装置内に格納されている情報を保護することができ、しかも、プリンター部２５０はタンパーケース６１０で覆われていないので、メンテナンスを容易に行うことができる。
なお、本実施の形態では、基板５３０の延長線上を基準として説明したが、これに限定されるものではない。例えば、台部２６０の傾斜面を基準として各構成要素を配置することによっても、上述したような効果を得ることができる。
図４において、クレジット決済端末装置２００は、本体２１０の長さＬ１が１８０ｍｍ、幅Ｗ１が１１６ｍｍ、カードリーダ部２４０の長さＬ２が２６３．５ｍｍ、幅Ｗ２が　　　１３８ｍｍ、プリンター部２５０の長さＬ３を８０ｍｍとし、全体の長さＬ４が２７０ｍｍとなっており、プリンター部２５０が、本体２１０およびカードリーダ部２４０よりも突出した、全体的に縦長の外観形状を備えている。また、各種機能を有する円形を基調とした複数の操作ボタンは、テンキーボタン２１１と、ファンクションボタン２１２、リセットボタン２１３、訂正ボタン２１４、終了ボタン２１５、セットボタン２１６と、印字ボタン２１７、紙送りボタン２１８、モードボタン２１９、電源ボタン２０５で構成されている。各種機能を有する円形を基調とした複数の操作ボタンは、テンキーボタン２１１を中心として、主に入力操作に関係するリセットボタン２１３、訂正ボタン２１４、終了ボタン２１５、セットボタン２１６をテンキーボタン２１１の右側に配置し、それ以外の操作ボタンをテンキーボタン２１１の左側に配置している。本発明の実施形態によるクレジット決済端末装置２００は、縦長の外観形状としているので、従来のような横幅の広いクレジット決済端末装置を設置するための広い設置面積が必要なく、設置性を良好にすることができる。しかも、各種機能を有する円形を基調とした複数の操作ボタンがテンキーボタン２１１を中心として、機能ごとに左右に分かれて配置されているので、操作環境を良好にすることができる。
なお、上記のクレジット決済端末装置２００の寸法は一実施形態であり、これに限定されるものではない。本実施の形態によるクレジット決済端末装置２００では、本体２０１の長さＬ１を１７０ｍｍ≦Ｌ１≦１９０ｍｍの範囲、幅Ｗ１を　１０６ｍｍ≦Ｗ１≦１２６ｍｍの範囲、カードリーダ部２４０の長さＬ２を２５３ｍｍ≦Ｌ２≦２７３ｍｍ、幅Ｗ２を１２８ｍｍ≦Ｗ１≦１４８ｍｍの範囲、プリンター部２５０の長さＬ３を７０ｍｍ≦Ｌ３≦９０ｍｍの範囲に設定することで、上述した効果と同様の効果を得ることができる。また、本実施の形態では、プリンター部２５０の幅が本体２１０の幅Ｗ１と同じ幅で形成されており、各種機能を有する円形を基調とした複数の操作ボタンと液晶表示部２０１、プリンターカバー２５３が同一平面上に位置するようになっている。なお、本実施の形態では、本体２０１とプリンター部２５０との幅が同じとなっているが、プリンター部２５０の幅を本体の幅よりも狭くするようにしてもよい。
次に、図５を参照して、本発明の実施形態によるクレジット決済端末装置を適用したクレジット決済システムの構成を説明する。図５は、本発明の実施形態によるクレジット決済端末装置が適用されるクレジット決済システムの構成を示す図であり、図５において、１００はＰＯＳ端末１０１、クレジット決済端末装置２００、店舗間ネットワーク用ＰＣ１０４が設置された店舗／催事場システム、１１０は売上データや取引明細、入金情報等の顧客プロファイルを格納するサーバー１１１を有するクレジット情報処理システム、１２０はクレジット会社、１３０は金融機関直結型決済処理センター、１４０はポイントセンターであり、これらは、インターネット等のネットワーク１５０を介して接続されている。また、金融機関直結型決済処理センター１３０には、信用金庫１６０、銀行１７０、郵便貯金１８０等の金融機関がオンラインで接続されている。
このような構成からクレジット決済システムは、まず、顧客がＰＯＳ端末１０１に入力された商品の代金を支払うために、磁気カードまたは電子マネーが入金されたＩＣカード等のクレジットカード１０２を店員に手渡す。クレジットカード１０２を受け取った店員は、クレジットカード１０２に記憶された顧客情報をクレジット決済端末装置２００により読み出し、顧客に暗証番号を入力するように促す。暗証番号の入力を促された顧客は、クレジット決済端末装置２００に接続された暗証番号入力機３００（以下、ピンパッドという）により暗証番号入力し、店員が顧客本人であることの確認が取れたら、クレジット決済端末装置２００を操作してクレジット決済の受付を行い、決済伝票を印字して顧客に渡すことで、クレジット決済を受け付けたことを顧客に知らせるようになっている。
そして、店員は、ネットワーク１５０を介してクレジット情報処理システム１１０にアクセスし、売上データや取引明細、入金情報等の顧客プロファイルを送信する。顧客プロファイルを受け取ったクレジット情報処理システム１１０は、磁気カードによる決済であるか、ＩＣカードによる決済であるかを判断し、判断結果に基づいてクレジット会社１２０あるいは金融機関直結型決済処理センター１３０に、ネットワーク１５０を介してアクセスするようになっている。具体的には、磁気カードによる決済であれば、クレジット会社１２０にアクセスして貸付決済を行い、ＩＣカードによる決済であれば、金融機関直結型決済処理センター１３０を介して信用金庫１６０や銀行１７０、郵便貯金１８０等の金融機関にアクセスし、ＩＣカードを介して顧客の預金を電子通貨に交換して引き出し、決済を行うようになっている。
また、磁気カードによる決済あるいはＩＣカードによる決済の際、利用状況によってポイントが蓄積されるような場合は、ポイントセンター１４０にアクセスし、ポイントを蓄積するようになっている。
次に、図６を参照して、本発明の実施形態によるクレジット決済端末装置の内部構造について説明する。図６は本発明の実施形態によるクレジット決済端末装置の分解斜視図である。
【０００９】
図６において、クレジット決済端末装置２００は、上ケース５０１と下ケース５０２、ミドル上ケース５０３、ミドル下ケース５０４、プリンターカバー５０５を備え、これらを組み合わせることでクレジット決済端末装置２００外観を構成している。具体的には、ミドル上ケース５０３とミドル下ケース５０４とを組み合わせることでカードリーダ部２４０（図１参照）を構成し、このカードリーダ部２４０を挟み込むように上ケース５０１と下ケース５０２とを組み合わせ、プリンターカバー５０５を下ケース５０２の端部に図示しないヒンジ部を介して開閉可能に取り付けることで、本体２１０とカードリーダ部２４０、プリンター部２５０を備えたクレジット決済端末装置２００を構成している。
【００１０】
クレジット決済端末装置２００の内部空間には、キーシート５０６、液晶表示パネル５０７、オートカッター５０８、プリンターヘッド５０９、ＩＣカードリーダ５１０、磁気カードリーダ５１１、基板５１２、カードリーダ５１３、インタフェース部２７０、ロール紙受台５１４が設けられている。また、上カバー５０１には、液晶表示枠５１６が取り付けられ、プリンターカバー５０５にはロック解除ボタン２５２が取り付けられ、下カバー５０２の底面には、滑り止め５１７が取り付けられるようになっている。
【００１１】
プリンター部２５０は、内部にオートカッター５０８とプリンターヘッド５０９とから構成されるプリンターユニット５４０（図３参照）と、ロール紙収納部５５０（図３参照）に設けられたロール紙受台５１４が内蔵されるようになっている。
図６で示すように、本体２１０の上面を構成する上ケース５０１には、複数の第１開口部５４１と大きな矩形状の第２開口部５４２が形成され、第１開口部５４１にキーシート５０６、第２開口部５４２に液晶表示パネル５０７を、それぞれ上ケース５０１の裏面から取り付けることで、本体２１０に操作ボタンおよび液晶表示部２０１が形成されるようになっている。
ミドル上ケース５０３は、長手方向に沿って形成された磁気カードスロット２２０と、長手方向の一端に形成されたＩＣカードスロット２３０と、ＩＣカードスロット２３０の近傍に形成された第３開口部５４３と、ケース中央付近に形成された凹部５４４と、凹部５４４の前方に位置し、長手方向の他端の一部を開放する第１切欠部５２０ａとを備え、第１切欠部５２０の両側が丸みを帯びた円弧形状となっている。また、ミドル下ケース５０４は、一端の一部を開放する第２切欠部５２０ｂと、この第２切欠部５２０ｂの幅よりも広く形成された第４開口部５４５とを備え、第２切欠部５２０ｂの両側が丸みを帯びた円弧形状となっている。
クレジット決済端末装置２００の内部に収納される各構成部品は、ＩＣカードリーダ５１０が実装された基板５１２を、ミドル下ケース５０４に形成された第４開口部５４５を介してミドル上ケース５０３まで導き、ＩＣカードリーダ５１０に設けられた挿入口５４６が、ミドル上ケース５０３に形成された第３開口部５４３から露出するように、ＩＣカードリーダ５１０および基板５１２が実装されるようになっている。そして、ＩＣカードリーダ５１０および基板５１２の実装後は、ミドル上ケース５０３とミドル下ケースとを組み合わせることで、カードリータ部２４０（図１参照）を形成するとともに、ＩＣカードスロット２３０が設けられた端部と対向する端部に、第１切欠部５２０ａと第２切欠部５２０ｂにより形成された空間が設けられるようになっている。
ミドル上ケース５０３に形成された凹部５４４には、オートカッター５０８とプリンターヘッド５０９とが収納され、凹部５４４の前方に形成された空間に、ロール紙受台５１４を収納することで、オートカッター５０８とプリンターヘッド５０９、ロール紙受台５１４を内部に収納するプリンター部２５０（図３参照）が形成される。
下ケース５０２は、その表面に側面から見て略三角形状の台部２６０が形成されており、クレジット決済端末装置２００の設置時に適度に傾斜させるようになっている。また、下ケース５０２背面には、接続端子２７１と２７２、ＵＳＢ端子２７３、ボリューム調節ダイヤル２７４、カードスロット２７５、電源２７６とを有するインタフェース部２７０が、外部へ露出するように配置されている。さらに、下ケース５０２の内部には、ＩＣカードリーダ５１０が実装された基板５１２の一部分が収納されるようになっている。
このような内部構造とすることにより、内部の無駄な空間をなくし、内部に収納される各構成部品を効率よく実装することができる。
次に、図７から図９を参照して、本発明の実施形態によるクレジット決済端末装置のＩＣカードスロットの構成について説明する。図７は本発明の実施形態によるクレジット決済端末装置のＩＣカードスロットの拡大図、図８はＩＣカードの挿入状態を示す図であり、図８（ａ）はＩＣカードの挿入状態を示す部分断面図、図８（ｂ）はＩＣカードの挿入状態を示す平面図、図９はＩＣカードスロットにＩＣカードを差し込んだ状態の部分断面図である。
本発明の実施形態によるクレジット決済端末装置では、利用者がＩＣカードを挿入しやすいように、本体の傾斜面にカード挿入角度を合わせず、設置面と水平にＩＣカードスロットを配置している。これにより、ＩＣカードが挿入しやすく、しかも傾斜面により液晶表示部の見やすさや各種機能を有する円形を基調とした複数の操作ボタンの押しやすさを両立した形状とすることができる。
図７において、ＩＣカードスロット２３０は、上端部７１０の幅が広く、下端部７２０にかけて徐々に絞り込まれたテーパ形状で形成され、しかも、下端部７２０の近傍の左右両側に所定の角度を持って形成されたガイド部７３０を備えている。
これにより、ＩＣカード１０２ａの挿入時に、幅の広い上端部７１０から幅の狭い下端部７２０に向けてＩＣカード１０２ａが置きやすい形状とすることができる。
【００１２】
本実施の形態では、図８で示すように、ガイド部７３０の角度θを、クレジット決済端末装置２００の中心線Ｐを基準として、片側が８°となるように形成しているため、ＩＣカードスロット２３０に対して、ＩＣカード１０２ａを多少斜めに挿入した場合でも、クレジット決済端末装置２００の内部に設けられたＩＣカードリーダ５１０にＩＣカード１０２ａを確実に導くことができるので、ＩＣカード１０２ａの取扱性を良好にすることができる。
また、本実施の形態では、図９で示すように、ＩＣカードスロット２３０にＩＣカード１０２ａを差し込んだ状態では、ＩＣカードスロット２３０の端部から突出するＩＣカードの突出量Ｄが２８ｍｍとなっているので、ＩＣカード１０２ａの挿入、取り出しの際に、ＩＣカード１０２ａの保持性を良好にすることができる。
さらに、本実施の形態では、図９で示すように、ＩＣカードスロット２３０の高さＨが、設置面から３５ｍｍの位置にあるので、ＩＣカード１０２ａの挿入、取り出しの際に、使用者（店員）の手が設置面とぶつからないようにすることができる。
なお、本実施の形態では、上記寸法は一実施形態であり、これに限定されるものではない。本実施の形態によるクレジット決済端末装置２００では、ガイド部７３０の片側の角度θを５°≦θ≦１０°の範囲、ＩＣカード１０２ａの突出量Ｄを２５ｍｍ≦Ｄ≦４０ｍｍの範囲、ＩＣカードスロット２３０の高さＨを３５ｍｍ≦Ｈ≦４５ｍｍの範囲に設定することで、上述した効果と同様の効果を得ることができる。
次に、図１０から図１２を参照して、本発明の実施形態によるクレジット決済端末装置を使用したクレジットカード決済について説明する。図１０は本発明の実施形態によるクレジット決済端末装置の磁気カードによる決済を示す図であり、図１０（ａ）は平面図、図１０（ｂ）は右側面図であり、図１１は本発明の実施形態によるクレジット決済端末装置のＩＣカードによる決済を示す図であり、図１１（ａ）はピンパッドを保持した状態の正面図、図１１（ｂ）はピンパッドを保持した状態の右側面図、図１１（ｃ）はピンパッドによる暗証番号の入力状態を示す図、図１２はクレジット決済端末装置に対する顧客と店員の位置関係を示す図である。
図１０で示すように、磁気カード１０２ｂにより決済を行う場合、まず、利用金額等を入力し、店員が顧客から受け取った磁気カード１０２ｂを、クレジット決済端末装置２００に設けられた磁気カードスロット２２０に挿入し、磁気カード１０２ｂを手前側（店員側）へ引くことで、クレジット決済端末装置２００の内部に設けられた磁気カードリーダ５１１により、磁気カード１０２ｂに記録されている情報（顧客情報）を読み出し、各操作ボタンを操作して決定することで、決済が行われるようになっている。
本発明の実施形態によるクレジット決済端末装置では、本体２０１と磁気カードスロット２２０とを明確な段差をつけて構成することで、磁気カードスロット２２０のわかりやすさや触れやすさを実現することができる。また、カードリーダ部２４０は、磁気カードスロット２２０を長手方向の端面に近いところまで延ばして形成し、スライド幅を増やして操作性を向上させることも可能である。しかしながら、本発明の実施形態によるクレジット決済端末装置では、磁気カードスロット２２０を液晶表示部の側方へ配置することで、液晶表示部を見ながらカードの操作性を向上させることができる。
また、図１１および図１２で示すように、ＩＣカード１０２ａにより決済を行う場合は、まず、店員が顧客から受け取ったＩＣカード１０２ａを、クレジット決済端末装置２００に設けられたＩＣカードスロット２３０に挿入し、ピンパッド３００で暗証番号を入力するように顧客へ促す。
本実施の形態におけるピンパッド３００は、インタフェース部２７０とケーブル２８０を介してクレジット決済端末２００と接続され、顧客に対するメッセージ等を表示する表示部３１０と、表示部３１０の下方に配置され、顧客が暗証番号等を入力するテンキー３２０とを備えるとともに、表示部３１０が配置された上方部分からテンキーが配置された下方部分に向けて絞り込まれた外観形状を備えている。このような外観形状とすることにより、顧客が暗証番号等を入力するためにピンパッド３００を保持した際、ピンパッド３００が手に馴染むように保持することができるので、ピンパッド３００の操作性を良好にすることができる。ピンパッド３００を保持して暗証番号等を入力する際、図１１（ｃ）で示すような状態で入力することになる。本実施の形態では、図１１で示すように、クレジット決済端末機２００を設置面Ｓに対して傾斜させる略三角形状の台部２６０が本体の長さよりも短く形成され、しかも、台部２６０に配置されたインタフェース部２７が本体に対して、奥まった部分に設けられているので、暗証番号の入力の際、顧客Ｋ側からインタフェース部２７が見えなくなるので、美感を損ねることのないクレジット決済端末装置２００とすることができる。しかも、従来のように、インタフェース部２７０をカバーで覆う必要がないので、インタフェース部のメンテナンス性も良好にすることができる。
また、図１２で示すように、クレジット決済端末装置２００を店員Ｔ側から見ても、設置面Ｓに対して傾斜しているので、各種機能を有する円形を基調とした複数の操作ボタンの操作性を良好にすることができ、かつ表示部の視認性も向上させることができる。
次に、図１３を参照して、本発明の実施形態によるクレジット決済端末装置のロール紙の交換について説明する。図１３は、本発明の実施形態によるクレジット決済端末装置のプリンター部を開放した状態を示す図である。
図１３において、ロール紙１２００を交換する際は、先ず、クレジット決済端末装置２００に設けられたロック解除ボタン２５２を操作してプリンターカバー５０５と本体２０１とをロックするロック機構（図示省略）を解除し、図示しないヒンジ機構を介してプリンターカバー５０５を開放する。プリンターカバー５０５を開放したら、プリンター部２５０の内部に形成されたロール紙収納部５５０に設けられたロール紙受台５１４にロール紙１２００をセットし、プリンターカバー５０５を閉じることにより、本体２０１とプリンターカバー５０５がロックされ、ロール紙１２００の交換作業が終了する。
本実施の形態によれば、ロール紙収納部５５０が本体よりも張り出して設けられており、しかも、プリンターカバー５０５が、各種機能を有する円形を基調とした複数の操作ボタンおよび液晶表示部２０１の配置面と同一平面上で連続するように配置されているので、ロール紙１２００の交換を容易に行うことができるようになっている。
【００１３】
【発明の効果】
以上説明したように、本発明によれば、クレジット決済端末装置の内部レイアウトを工夫することにより、各種機能を有する円形を基調とした複数の操作ボタンの取扱性や液晶表示部の視認性、プリンター部の取扱性を良好にすることができる。しかも、クレジット決済端末装置を設置面に対して傾斜させることで、本体から張り出したプリンター部の下方にケーブル等の配線スペースを形成し、プリンター部より奥まった位置にインタフェース部が設けられることで、ケーブル配線等の美感を損なう要素を顧客から見えにくくすることができる。
また、本発明によれば、インタフェース部を覆うカバーが不要となるので、インタフェース部のメンテナンスを容易に行うことができる。
また、本発明によれば、本体とカードリーダ部とが段差を持つように組み合わせることで、操作表示部とカード読取部との機能を明確に分離することができる。
【図面の簡単な説明】
【図１】本発明の実施形態によるクレジット決済端末装置の外観を示す斜視図である。
【図２】本発明の実施形態によるクレジット決済端末装置の外観を示す後方斜視図である。
【図３】本発明の実施形態によるクレジット決済端末装置の内部機構を一部省略した断面図である。
【図４】本発明の実施形態によるクレジット決済端末装置の外観を示す５面図である。
【図５】本発明の実施形態によるクレジット決済端末装置が適用されるクレジット決済システムの構成を示す図である。
【図６】本発明の実施形態によるクレジット決済端末装置の分解斜視図である。
【図７】本発明の実施形態によるクレジット決済端末装置のＩＣカードスロットの拡大図である。
【図８】本発明の実施形態によるクレジット決済端末装置のＩＣカードの挿入状態を示す部分断面図である。
【図９】本発明の実施形態によるクレジット決済端末装置のＩＣカードスロットにＩＣカードを差し込んだ状態の部分断面図である。
【図１０】本発明の実施形態によるクレジット決済端末装置の磁気カードによる決済を示す図である。
【図１１】本発明の実施形態によるクレジット決済端末装置のＩＣカードによる決済を示す図である。
【図１２】本発明の実施形態によるクレジット決済端末装置に対する顧客と店員の位置関係を示す図である。
【図１３】本発明の実施形態によるクレジット決済端末装置のプリンター部を開放した状態を示す図である。
【図１４】従来のクレジット決済端末装置の一例を示す図である。
【図１５】従来のクレジット決済端末装置の一例を示す図である。
【符号の説明】
１００…店舗／催事場システム、１０１…ＰＯＳ端末、１０２ａ…ＩＣカード、１０２ｂ…磁気カード、１０４…店舗間ネットワーク用ＰＣ、１１０…クレジット情報処理システム、１１１…サーバー、１２０…クレジット会社、１３０…金融機関直結型決済処理センター、１４０…ポイントセンター、１５０…ネットワーク、２００…クレジット決済端末装置、２０１…液晶表示部、２０５…電源ボタン、２１０…本体、２１１…テンキーボタン、２１２…ファンクションボタン、２１３…リセットボタン、２１４…訂正ボタン、２１５…終了ボタン、２１６…セットボタン、２１７…印字ボタン、２１８…紙送りボタン、２１９…モードボタン、２２０…磁気カードスロット、２３０…ＩＣカードスロット、２４０…カードリーダ部、２５１…排紙口、２５３…プリンターカバー、２５０…プリンター部、２５２…ロック解除ボタン、２６０…台部、２７０…インタフェース部、２７１…接続端子、２７２…接続端子、２７３…ＵＳＢ端子、２７４…ボリューム調節ダイヤル、２７５…カードスロット、２７６…電源、２８０…ケーブル、３００…ピンパッド、５０１…上ケース、５０２…下ケース、５０３…ミドル上ケース、５０４…ミドル下ケース、５０５…プリンターカバー、５０６…キーシート、５０７…液晶表示パネル、５０８…オートカッター、５０９…プリンターヘッド、５１０…ＩＣカードリーダ、５１１…磁気カードリーダ、５１２…メイン基板、５１３…カードリーダ、５１４…ロール紙受台、５１６…液晶表示枠、５１７…滑り止め、５３０…基板、５４０…プリンターユニット、５５０…ロール紙収納部、６１０…タンパーケース、７１０…上端部、７２０…下端部、７３０…ガイド部、１２００…ロール紙。
【図１】
2004094841.tif 000003
【図２】
2004094841.tif 000004
【図３】
2004094841.tif 000005
【図４】
2004094841.tif 000006
【図５】
2004094841.tif 000007
【図６】
2004094841.tif 000008
【図７】
2004094841.tif 000009
【図８】
2004094841.tif 000010
【図９】
2004094841.tif 000011
【図１０】
2004094841.tif 000012
【図１１】
2004094841.tif 000013
【図１２】
2004094841.tif 000014
【図１３】
2004094841.tif 000015
【図１４】
2004094841.tif 000016
【図１５】
2004094841.tif 000017